【手続補正書】
【提出日】平成17年4月26日(2005.4.26)
【手続補正１】
【補正対象書類名】特許請求の範囲
【補正対象項目名】全文
【補正方法】変更
【補正の内容】
【特許請求の範囲】
【請求項１】
移動ターミナルによって実行される、無線通信ネットワークにおける周波数誤差推定値を選択するための方法において、
スロット境界候補を発生する工程と、
前記スロット境界候補を使ってスクランブル符号グループを識別する工程と、
前記スクランブル符号グループからスクランブル符号を識別する工程と、
前記識別されたスクランブル符号を使って周波数誤差推定値を決定する工程と、
検出計量値を決定する工程と、
前記検出計量値と所定スレッショルド値を比較する工程と、
前記検出計量値のほうが前記所定スレッショルドよりも大である時に、前記周波数誤差推定値を選択する工程と、
を備えた方法。
【請求項２】
前記識別されたスクランブル符号を使って周波数誤差推定値を決定する工程が、
少なくとも第１および第２アンテナからの複数のスロットにわたって受信されたシンボルを逆拡散する工程と、
前記逆拡散されたシンボルと前記第１アンテナのパイロットシンボルが使用した変調パターンとを相関化する工程と、
前記第１アンテナが使用したパイロットシンボル変調パターンに相関化された各スロットに対する高速フーリエ変換（ＦＦＴ）出力を決定する工程と、
前記第２のアンテナのパイロットシンボルが使用する変調パターンに対する逆拡散シンボルを相関化する工程と、
前記第２アンテナが使用した前記パイロットシンボル変調パターンに相関化された各スロットに対するＦＦＴ出力を決定する工程と、
前記第１および第２アンテナからの前記ＦＦＴ出力を累積する工程と、
前記第１アンテナからの前記ＦＦＴ出力を累積する工程と、
前記第１および第２アンテナからの前記累積されたＦＦＴ出力の第１の最大値を決定する工程と、
前記第１アンテナからの前記累積されたＦＦＴ出力の第２最大値を決定する工程と、
前記第１最大値と前記第２最大値とを比較する工程と、
前記第１最大値が前記第２最大値以上であるときに、累積されたＦＦＴ値を前記第１および第２アンテナからの前記累積されたＦＦＴ出力に設定する工程と、
前記第１最大値が前記第２最大値未満であるときに、前記累積されたＦＦＴ値を前記第１アンテナからの前記累積されたＦＦＴ出力に設定する工程と、
前記累積されたＦＦＴ値が最大となる周波数ビンを決定する工程と、
前記周波数ビンに基づき、前記周波数誤差推定値を決定する工程と、
を備えた、請求項１記載の方法。
【請求項３】
前記第１および第２アンテナが使用したパイロットシンボル変調パターンに相関化された、各スロットに対するＦＦＴ出力を決定する工程が、
前記逆拡散されたシンボルに対しゼロパッディングを行う工程と、
スロットごとに６４ポイントのＦＦＴを決定する工程と、
を備えた、請求項２記載の方法。
【請求項４】
前記検出計量値が前記所定のスレッショルド以下の時に、スロット境界候補を発生する工程と、前記スロット境界候補を使ってスクランブル符号グループを識別する工程と、前記スクランブル符号グループからスクランブル符号を識別する工程と、前記識別されたスクランブル符号を使って周波数誤差推定値を決定する工程と、検出計量値を決定する工程と、前記検出軽量値と前記所定のスレッショルドとを比較する工程と、を再実行する工程を更に含む、請求項１記載の方法。
【請求項５】
前記スロット境界候補に基づきフレーム境界を決定する工程を更に含む、請求項１記載の方法。
【請求項６】
前記移動ターミナルの電源のオンに応答してスロット境界候補の発生が行われる、請求項１記載の方法。
【請求項７】
命令を記憶するメモリと、前記命令を実行するプロセッサと、を備えた移動ターミナルであって、前記プロセッサは、
スロット境界候補を発生し、
前記スロット境界候補を使ってスクランブル符号グループを識別し、
前記スクランブル符号グループからスクランブル符号を識別し、
前記識別されたスクランブル符号を使って周波数誤差推定値を決定し、
検出計量値を決定し、
前記検出計量値と所定のスレッショルドとを比較し、および、
前記検出計量値のほうが前記所定のスレッショルドよりも大の時に、前記周波数誤差推定値を受け入れる、
ように命令を実行する前記移動ターミナル。
【請求項８】
前記識別されたスクランブル符号を使って周波数誤差推定値を決定する際に、前記プロセッサが、
少なくとも第１および第２アンテナからの複数のスロットにわたって受信されたシンボルを逆拡散し、
前記逆拡散されたシンボルと前記第１アンテナのパイロットシンボルが使用した変調パターンとを相関化し、
前記第１アンテナが使用したパイロットシンボル変調パターンに相関化された各スロットに対する高速フーリエ変換（ＦＦＴ）出力を決定し、
前記逆拡散されたシンボルと前記第２アンテナのパイロットシンボルが使用した変調パターンとを相関化させ、
前記第２アンテナが使用した前記パイロットシンボル変調パターンに相関化された各スロットに対するＦＦＴ出力を決定し、
前記第１および第２アンテナからの前記ＦＦＴ出力を累積し、
前記第１アンテナからの前記ＦＦＴ出力を累積し、
前記第１および第２アンテナからの前記累積されたＦＦＴ出力の第１の最大値を決定し、
前記第１アンテナからの前記累積されたＦＦＴ出力の第２最大値を決定し、
前記第１最大値と前記第２最大値とを比較し、
前記第１最大値が前記第２最大値以上であるときに、蓄積されたＦＦＴ値を前記第１および第２アンテナからの前記累積されたＦＦＴ出力に設定し、
前記第１最大値が前記第２最大値未満であるときに、前記累積されたＦＦＴ値を前記第１アンテナからの前記累積されたＦＦＴ出力に設定し、
前記累積されたＦＦＴ値が最大となる周波数ビンを決定し、および
前記周波数ビンに基づき、前記周波数誤差推定値を決定する、
請求項７記載の移動ターミナル。
【請求項９】
前記第１および第２アンテナが使用したパイロットシンボル変調パターンに相関化された、各スロットに対するＦＦＴ出力を決定する際に、前記プロセッサが、
前記逆拡散されたシンボルにゼロをパッドし、そして
スロットごとの６４ポイントのＦＦＴを決定する、
請求項８記載の移動ターミナル。
【請求項１０】
前記プロセッサが、前記検出計量値が前記所定のスレッショルド以下の時に、スロット境界候補を発生する工程と、前記スロット境界候補を使ってスクランブル符号グループを識別する工程と、前記スクランブル符号グループからスクランブル符号を識別する工程と、前記識別されたスクランブル符号を使って周波数誤差推定値を決定する工程と、検出軽量値を決定する工程と、前記検出計量値と前記所定のスレッショルドとを比較する工程と、を再実行する、請求項９記載の移動ターミナル。
【請求項１１】
前記プロセッサが、更に、前記スロット境界候補を使用してフレーム境界を決定する、請求項７記載の方法。
【請求項１２】
前記プロセッサが、前記移動ターミナルの電源のオンに応答してスロット境界候補を発生する、請求項７記載の移動ターミナル。
【請求項１３】
スロット境界候補を発生する工程と、
前記スロット境界候補を使ってスクランブル符号グループを識別する工程と、
前記スクランブル符号グループからスクランブル符号を識別する工程と、
前記識別されたスクランブル符号を使って周波数誤差推定値を決定する工程と、
検出計量値を決定する工程と、
前記検出計量値と所定スレッショルド値を比較する工程と、
前記検出計量値のほうが前記所定スレッショルドよりも大である時に、前記周波数誤差推定値を選択する工程と、
を備えた、無線ネットワークにおける周波数誤差推定値を選択するための方法を実行するプログラムを記録した、コンピュータで読み取り可能な記録媒体。
【請求項１４】
前記識別されたスクランブル符号を使って周波数誤差推定値を決定する工程が、
１つまたはそれ以上のアンテナからの複数のスロットにわたって受信されたシンボルを逆拡散する工程と、
前記逆拡散されたシンボルと前記各アンテナのパイロットシンボルが使用した変調パターンとを相関化する工程と、
第１アンテナと少なくとも第２アンテナが使用したパイロットシンボル変調パターンに相関化された各スロットに対する高速フーリエ変換（ＦＦＴ）出力を決定する工程と、
前記第１および第２アンテナからの前記ＦＦＴ出力を累積する工程と、
前記第１アンテナからの前記ＦＦＴ出力を累積する工程と、
前記第１および第２アンテナからの前記累積されたＦＦＴ出力の第１最大値を決定する工程と、
前記第１アンテナからの前記累積されたＦＦＴ出力の第２最大値を決定する工程と、
前記第１最大値と前記第２最大値とを比較する工程と、
前記第１最大値が前記第２最大値以上であるときに、累積されたＦＦＴ値を前記第１および第２アンテナからの前記累積されたＦＦＴ出力に設定する工程と、
前記第１最大値が前記第２最大値未満であるときに、前記累積されたＦＦＴ値を前記第１アンテナからの前記累積されたＦＦＴ出力に設定する工程と、
前記累積されたＦＦＴ値が最大となる周波数ビンを決定する工程と、
前記周波数ビンに基づき、前記周波数誤差推定値を決定する工程と、
を備えた、請求項１３記載の、コンピュータで読み取り可能な記録媒体。
【請求項１５】
ワイドバンド符号分割マルチアクセス（ＷＣＤＭＡ）システムにおいて、少なくとも１つのアンテナに対するスロット境界候補を発生する第１ステージと、
前記スロット境界候補を受信し、該スロット境界候補を使ってスクランブル符号グループを識別する第２ステージと、
前記識別されたスクランブル符号グループを受信し、該スクランブル符号グループからスクランブル符号を識別する第３ステージと、
前記識別されたスクランブル符号を受信し、該スクランブル符号を使って周波数誤差推定値を決定し、検出計量値を発生し、しかも、前記検出計量値がスレッショルドを越えた時に前記周波数誤差推定値を選択する第３ステージと、
を備えた、ＷＣＤＭＡシステムにおける周波数誤差推定値を選択するためのパイプラインシステム。
【請求項１６】
スロット境界を検出する第１ステージと、
前記スロット境界を受信すると共に、該スロット境界に基づきフレーム境界およびスクランブル符号グループを識別する第２ステージと、
前記フレーム境界およびスクランブル符号グループを受信すると共に、該フレーム境界およびスクランブル符号グループに基づき少なくとも１つのスクランブル符号を識別する第３ステージと、
前記スクランブル符号を受信すると共に、周波数収集およびセルサーチ証明および終了を実行する第４ステージと、
を備えた、４ステージパイプラインシステム。
【請求項１７】
前記周波数収集を実行する際に、前記第４ステージが、
第１および第２アンテナからの複数のスロットにわたって受信されたシンボルを逆拡散し、
前記逆拡散されたシンボルと前記第１アンテナのパイロットシンボルが使用した変調パターンとを相関化し、
前記第１アンテナが使用したパイロットシンボル変調パターンに相関化された各スロットに対する高速フーリエ変換（ＦＦＴ）出力を決定し、
前記逆拡散されたシンボルと前記第２アンテナが使用した変調パターンとを相関化し、
前記第２アンテナが使用した前記パイロットシンボル変調パターンに相関化された各スロットに対するＦＦＴ出力を決定し、
前記第１および第２アンテナからの前記ＦＦＴ出力を累積し、
前記第１アンテナからの前記ＦＦＴ出力を累積し、
前記第１および第２アンテナからの前記累積されたＦＦＴ出力の第１最大値を決定し、
前記第１アンテナからの前記累積されたＦＦＴ出力の第２最大値を決定し、
前記第１最大値と前記第２最大値とを比較し、
前記第１最大値が前記第２最大値以上であるときに、累積されたＦＦＴ値を前記第１および第２アンテナからの前記累積されたＦＦＴ出力に設定し、
前記第１最大値が前記第２最大値未満であるときに、前記累積されたＦＦＴ値を前記第１アンテナからの前記累積されたＦＦＴ出力に設定し、
前記累積されたＦＦＴ値が最大となる周波数ビンを決定し、そして
前記周波数ビンに基づき、前記周波数誤差推定値を決定する、
請求項１６記載のシステム。
【請求項１８】
前記第４ステージが更に、
検出計量値を決定し、
該検出計量値と所定のスレッショルドとを比較し、そして
前記検出計量値のほうが前記所定のスレッショルドよりも大の時に、前記周波数誤差推定値を選択する、
請求項１７記載のシステム。